(57)【要約】【課題】  外乱光の影響を低減して正確な検出が行われるようにする。【解決手段】  光ファイバ１０群を束ねてセンサユニット８に検出光Ｌを導光する少なくとも２個以上の第１導光ジガイド体９Ａと第２導光ガイド体９Ｂを平行状態に並べて配列し、これら第１導光ガイド体と第２導光ガイド体が、検出開口部６に対して所定の傾斜角度を付した状態でこれらそれぞれの光ファイバ群を互いに異なる傾斜角を付して束ね、第１導光ガイド体と第２導光ガイド体による透過光の光量差異により外乱光の検出が行われるようにする。【選択図】  図４
2009129044.tif 000002
【特許請求の範囲】
【請求項１】
多数本の光ファイバを束ねて同一面を構成する上端部を検出面とするとともに同一面を構成する下端部を出射面とした導光ガイド体と、この導光ガイド体の前記出射面に対向して配置され前記検出面から入射されて前記出射面から出射される検出光を検出する多数個のセンサユニットを有する検出ユニットを備える画像検出装置において、
前記光ファイバ群を前記検出面と前記出射面とが長手方向に対して位置を異にするように所定の傾斜角度を付した状態で束ねた少なくとも２個以上の導光ガイド体を平行状態に並べて配列し、
対をなす第１導光ガイド体と第２導光ガイド体が、それぞれ傾斜角度を異にして束ねられた前記光ファイバ群を有することを特徴とする画像検出装置。
【請求項２】
前記第１導光ガイド体と前記第２導光ガイド体が、それぞれの前記光ファイバ群を垂直方向に対して対称となる傾斜角度を付して束ねられていることを特徴とする請求項１に記載の画像検出装置。
【請求項３】
前記第１導光ガイド体と前記第２導光ガイド体が対をなして前記検出ユニットの検出部を構成することを特徴とする請求項１又は請求項２に記載の画像検出装置。
【請求項４】
対をなす前記第１導光ガイド体と前記第２導光ガイド体を複数組み備え、各組みを互いに平行状態に並べて配列して検出部を構成することを特徴とする請求項３に記載の画像検出装置。
【発明の詳細な説明】
【技術分野】
【０００１】
本発明は、多数本の光ファイバを束ねて同一面を構成する上端部を検出面とするとともに同一面を構成する下端部を出射面とした導光ガイド体を備える画像検出装置に関し、例えば指先を検出面に押し当てることにより指紋識別を行う指紋識別センサとして用いられる画像検出装置に関する。
【背景技術】
【０００２】
画像検出装置は、近年セキュリティの観点から、コンピュータ等の電子機器、携帯電話等の通信機器に用いられて個人認証のために手の指の指紋を識別する指紋センサとしても採用される。指紋センサは、指紋画像を得るための光の観点から、指の表面で反射した光を利用する方式と、指の内部で散乱して指の表面から出る指内散乱光を利用する方式とに大別される。指紋センサとしては、信頼性が十分で製造コストが低いことの他に、例えば携帯通信機器のように小型の機器にも組み込めるように、サイズが出来るだけ小さいことが要求される。
【０００３】
また、指紋センサは、画画像である指紋画像の取得の方式の観点から、受光素子をマトリクス状に配列して指先を押し付けることにより画画像を得るエリア型指紋センサと、受光素子を直線上に配列して指先を押し付けつつスライドさせることによって、各時点で得る線画像から画画像を得るライン型指紋センサとがある。
【０００４】
指内散乱光方式の指内センサは、一般に、指先に当てる光を出射する光源と、光センサと、指先からの光を光センサに導く導光イメージガイド部材（導光ガイド体）を有する構成である。導光イメージガイド部材は、多数本の光ファイバを束ねて一端側を指先が押し付けられる検出面とし、この検出面が指先の全体に対応する大きさとされる。
【０００５】
従来の指紋センサは、導光イメージガイド部材が、検出面を標準的な指先の全体に対応する大きさに形成されることからサイズが大きくなり上述した携帯通信機器のような小型の機器に組み込むことが困難であった。出願人は、特許文献１或いは特許文献２に開示されるように、導光イメージガイド部材を構成する多数本の光ファイバを、検出面に押し付ける指の長手方向に傾斜して束ねるとともに他端側に設けた光センサと対向させて配列することにより導光イメージガイド部材の幅方向の寸法を短縮して小型化を図った指紋センサを提供した。
【特許文献１】特開２００５−２０２３２０号公報
【特許文献２】特開２００５−２０２８７７号公報
【発明の開示】
【発明が解決しようとする課題】
【０００６】
先願の指紋センサにおいては、導光イメージガイド部材を構成する光ファイバを傾斜角を付して束ねたことにより、検出面に押し付けた指内からの光と検出処理を妨げる外部光（外乱光）とを判別して外乱光の影響が低減されるようにしている。しかしながら、指紋センサにおいては、光ファイバに付す傾斜角が外乱光を完全に全反射させる角度に設定されてはおらず、傾斜角と平行な角度から入射される強い外乱光が導光イメージガイド部材を通過させてしまう。指紋センサにおいては、待機状態において傾斜角と平行な角度からの外乱光があった場合にその光量変化により指が押し当てられたと誤検出してしまうことがあった。
【０００７】
したがって、本発明は、外乱光の影響を低減して正確な検出が行われるようにする画像
検出装置を提供することを目的に提案されたものである。
【課題を解決するための手段】
【０００８】
上述した目的を達成する本発明にかかる画像検出装置は、多数本の光ファイバを束ねて同一面を構成する上端部を検出面とするとともに同一面を構成する下端部を出射面とした導光ガイド体と、この導光ガイド体の出射面に対向して配置され検出面から入射されて出射面から出射される検出光を検出する多数個のセンサユニットを有する検出ユニットを備える。画像検出装置は、光ファイバ群を検出面と出射面とが長手方向に対して位置を異にするように所定の傾斜角度を付した状態で束ねた少なくとも２個以上の導光ガイド体を備える。画像検出装置は、対をなす第１導光ガイド体と第２導光ガイド体を平行状態に並べて配列し、これら第１導光ガイド体と第２導光ガイド体が、それぞれ傾斜角度を異にして束ねた光ファイバ群を備える。
【０００９】
また、本発明にかかる画像検出装置は、第１導光ガイド体と第２導光ガイド体が、それぞれの光ファイバ群を垂直方向に対して対称となる傾斜角度を付して束ねて構成したことを特徴とする。本発明にかかる画像検出装置は、第１導光ガイド体と第２導光ガイド体が対をなして検出部を構成することを特徴とする。本発明にかかる画像検出装置は、対をなす第１導光ガイド体と第２導光ガイド体を複数組み備え、各組みを互いに平行状態に並べて配列して検出部を構成することを特徴とする。
【００１０】
本発明にかかる画像検出装置においては、導光ガイド体が多数本の光ファイバを検出面に対して出射面が長手方向に位置を異にするように所定の傾斜角度を付して束ねて構成したことにより、幅方向の寸法を短縮化して２個以上の導光ガイド体を平行状態に並べて検出部を構成しても大型化が抑制されるとともに、検出面に押し付けた指内からの光と外乱光とを判別して外乱光の影響が低減されるようにする。画像検出装置においては、多数本の光ファイバが検出面に対して互いに異なる傾斜角を付されて束ねられた第１導光ガイド体と第２導光ガイド体を備えることにより、待機状態において強い外乱光が当たっても第１導光ガイド体と第２導光ガイド体が外乱光の入射を規制して全体を通過する光量が異なるようにする。画像検出装置においては、第１導光ガイド体と第２導光ガイド体による検出光量の差異に基づいて、差異が大きい場合には外乱光の影響と判断して検出動作を行わずに待機状態が保持されるようにするとともに差異が小さい場合に検出面に指先が押し当てられたとして検出動作が行われる。
【発明の効果】
【００１１】
以上のように構成された本発明にかかる画像検出装置によれば、多数本の光ファイバをそれぞれ検出面に対して異なる傾斜角度を付して束ねた一対の導光ガイド体を備えることにより、各待機状態において変化する外乱光が入射される状態が生じても各導光ガイド体毎に外乱光の入射を規制することによる受光量の差異に基づいて外乱光による変化と検出面に指先が押し当てられたことによる変化とを検出することにより外乱光の影響を排除して高精度の検出を行うことが可能となる。
【発明を実施するための最良の形態】
【００１２】
以下、本発明の実施の形態として図面に示した指紋センサ１について詳細に説明する。指紋センサ１は、指内散乱光方式の指紋センサであり、図１に示すようにインタポーザ２の主面上に、詳細を後述する検出ユニット３と光源ユニット４を搭載し、全体を遮光樹脂材により形成した遮光樹脂ブロック５により封止して構成する。指紋センサ１は、遮光樹脂ブロック５に検出ユニット３の上面を外方に臨ませる矩形のスリットからなる検出開口部６が形成され、この検出開口部６の幅方向に沿って指先がスライドされることによる光量変化により指紋検出を行う。なお、本発明は、かかる指紋センサ１に限定されないことは勿論であり、表面反射方式の指紋センサにも適用可能であるとともに、指紋センサ以外
にも適用可能である。
【００１３】
指紋センサ１は、図２に示すように電子・通信機器等（以下、機器という。）の筐体７に対してスリット７Ａから検出開口部６を外方に臨ませて遮光樹脂ブロック５を固定して組み付けられ、図示を省略するがインタポーザ２に形成した出力端子にケーブル付きコネクタを結合して機器本体側の制御部と接続される。機器は、制御部において指紋センサ１から出力される検出信号を処理して指紋情報を生成し、この指紋情報と予め登録された指紋情報との照合を行って指紋認識を行う。
【００１４】
指紋センサ１は、図３に示すように遮光樹脂ブロック５の上面に指先を押し付け、検出開口部６の幅方向に沿ってスライド操作させることにより指紋検出を行う。なお、指紋センサ１は、検出開口部６が、その長さ方向を標準的な大人の指幅よりもやや大きな長さ寸法、例えば１５ｍｍ〜２０ｍｍとし、その幅方向を約１ｍｍ〜２ｍｍとして形成する。
【００１５】
指紋センサ１は、図２及び図３に示すように、検出ユニット３が積層状態に組み合わせたセンサユニット８と導光ガイド体９とから構成され、図１に示すように２組の検出ユニット３Ａ、３Ｂが互いに平行状態に並べられてインタポーザ２上に搭載される。指紋センサ１は、詳細を後述するように各検出ユニット３が、それぞれ対をなす第１センサユニット８Ａ及び第２センサユニット８Ｂと第１導光ガイド体９Ａ及び第２導光ガイド体９Ｂとを組み合わせて構成される。
【００１６】
検出ユニット３は、互いに同等に構成された第１センサユニット８Ａと第２センサユニット８Ｂによりセンサユニット８を構成し、詳細を後述するように一部の構成を異にした第１導光ガイド体９Ａと第２導光ガイド体９Ｂにより導光ガイド体９を構成する。センサユニット８は、多数個のＣＣＤ素子やＣＭＯＳ素子等の光学センサ素子（受光素子）を備えており、これら光学センサ素子を詳細を省略するが上述した検出開口部６に対向してインタポーザ２の主面上に長さ方向に並んで形成した多数個のランドにそれぞれ実装して構成される。センサユニット８は、後述するように導光ガイド体９内を導光された検出光を光学センサ素子が検出し、受光光量に応じた検出信号を出力する。指紋センサ１は、センサユニット８の各光学センサ素子から出力されるバラツキのある検出信号を処理して指紋検出を行う。
【００１７】
導光ガイド体９は、第１導光ガイド体９Ａと第２導光ガイド体９Ｂが基本的な構成を同等としており、それぞれが多数本の光ファイバ１０を束ねて構成される。光ファイバ１０は、周知のように中心にコアを有し、このコアの周囲にクラッドを有し、更にクラッドの周囲に光を吸収する光吸収層を有する構造であり、一端部から入射した光を外周部から漏出させることなく他端部へと効率よく導光して出射する。
【００１８】
光ファイバ１０は、例えば直径が１０〜４０μｍであり、光吸収層がガラスを主成分とする材料により例えば厚さが１μｍ〜５μｍに形成され、コアの屈折率が例えば１．６２であり、クラッドの屈折率ｎ２が例えば１．５２に形成される。光ファイバ１０は、大径のファイバを線引きし（一次線引）、線引きして細くなった光ファイバを束ねて再度線引きし（二次線引）、細くなった光ファイバ束を束ねて再度線引きし（三次線引）、無数の極細い光ファイバ束を製作する。光ファイバ１０は、この光ファイバ束に対して所定角度の斜め切断処理を施して光ファイバプレートを製作し、このプレートを適宜ダイシングすることによって製作される。なお、光ファイバ１０は、かかる製作方法に限定されないことは勿論であり、従来から実施される適宜の方法により製作される。
【００１９】
導光ガイド体９は、多数本の光ファイバ１０が、それぞれの両端部１０Ａ、１０Ｂにおいて互いに同一面を構成するようにして束ねられる。導光ガイド体９は、束ねられた光フ
ァイバ１０群の第１端部１０Ａにより構成された同一面を検出面１１とするとともに、第２端部１０Ｂにより構成された同一面を出射面１２とする。導光ガイド体９は、多数本の光ファイバ１０を長さ方向に対して検出面１１と出射面１２の位置が異なるように所定の傾斜角度θを付して束ねて構成する。導光ガイド体９は、後述するように対をなす第１導光ガイド体９Ａと第２導光ガイド体９Ｂとが、それぞれの光ファイバ１０の傾斜角度θを異にしたものが用いられる。
【００２０】
導光ガイド体９は、検出面１１を上述した遮光樹脂ブロック５の検出開口部６を介して外方に臨ませられるとともに、検出面１１を相対する光学センサ素子と対向させてセンサユニット８上に接合される。導光ガイド体９は、詳細を後述するが、検出操作に際して外部光や指先１７により外方へと散乱された後に検出面に達する検出光Ｌの一部をカットし、指先１７により散乱されて直接検出面に達する検出光Ｌの一部のみを内部に導光してセンサユニット８へと導光するように構成される。導光ガイド体９は、外部光とともに外方へと散乱された後の検出光Ｌの一部をノイズとしてカットすることにより、安定した検出面への直接入射光のみをセンサユニット８に導光して安定かつ精度の高い検出が行われるようにする。
【００２１】
指紋センサ１は、図１及び図２に示すようにインタポーザ２上に、上述した検出ユニット３に並んで光源ユニット４が搭載される。光源ユニット４は、図１及び図２に示すように多数個の発光素子（ＬＥＤ）１３と、その駆動回路を構成するコンデンサチップ、抵抗素子及びトランジスタ等の電子部品により構成される。光源ユニット４は、これら発光素子１３や電子部品が、インタポーザ２の主面上に形成した多数個のランドにそれぞれ実装される。光源ユニット４は、各発光素子１３が、インタポーザ２に対して検出ユニット３に沿って長さ方向に配列して形成したランドに実装される。
【００２２】
光源ユニット４は、図２に示すように各発光素子１３を覆うようにして光透過性を有する接着剤層１４により、光透過性を有する合成樹脂により形成された導光ブロック部材１５が接合される。導光ブロック部材１４は、底面を発光素子１３の出射面と対向させるとともに、上面を遮光樹脂ブロック５に形成した検出光の出射開口１６を介して外方に臨ませられる。
【００２３】
光源ユニット４は、図３に示すように各発光素子１３から検出光Ｌが出射され、この検出光Ｌが接着剤層１４と導光ブロック部材１５内を導光されて出射開口１６から外部へと出射されるようにする。光源ユニット４は、遮光樹脂ブロック５により発光素子１３の周囲や接着剤層１４及び導光ブロック部材１５を封止して遮光することから、検出光Ｌが出射開口１６から効率よく出射される。光源ユニット４は、遮光樹脂ブロック５により検出光Ｌが検出ユニット３側に漏出してセンサユニット８を誤動作させることは無い。
【００２４】
以上のように構成された指紋センサ１においては、光源ユニット４から出射された検出光Ｌが接着剤層１４と導光ブロック部材１５内を導光されて出射開口１６から外部へと出射された待機状態で指先１７が押し当てられることにより指紋検出を行う。指紋センサ１においては、図３に示すように指先１７を機器筐体７に形成したスリット７Ａから露出した遮光樹脂ブロック５の上面に押し当てながら検出開口部６を幅方向に横断するようにスライドする。指紋センサ１においては、指先１７により検出光Ｌが散乱されてこの指先１７の表面を明るくさせる。
【００２５】
指紋センサ１においては、指先１７のうち検出面１１に接触している部分の表面で反射して生じる指内散乱光のうち、指紋の凹部分で反射される検出光Ｌがその光路を変化されることにより検出面１１から導光ガイド体９への導光がカットされる。指紋センサ１においては、指内散乱光のうち、指紋による凸部分で反射される検出光Ｌの一部が検出面１１
から導光ガイド体９へと導光される。指紋センサ１においては、導光ガイド体９内に導光された検出光Ｌの一部がセンサユニット８により検出される。
【００２６】
指紋センサ１においては、指先１７のスライド操作により指紋の凹凸位置が変化することで、センサユニット８からその変化に応じた検出出力を機器本体側の制御部へと刻々と出力する。指紋センサ１においては、この検出出力に基づいて、上述したように機器本体側において指紋認識が行われるようにする。
【００２７】
指紋センサ１においては、上述したように検出ユニット３を構成する導光ガイド体９が第１導光ガイド体９Ａと第２導光ガイド体９Ｂとにより構成することにより、待機状態において検出処理に影響を及ぼす強い外部光（外乱光が検出開口部６から入射された場合でも、検出面１１における指先１７の誤検出が防止されるようにして精度の高い検出が行われるようにする。
【００２８】
指紋センサ１においては、上述したように導光ガイド体９を第１導光ガイド体９Ａと第２導光ガイド体９Ｂとにより構成するとともに、これら第１導光ガイド体９Ａと第２導光ガイド体９Ｂが多数本の光ファイバ１０を束ねてそれぞれの両端部１０Ａ、１０Ｂにおいて検出面１１と出射面１２とを構成する。導光ガイド体９は、光ファイバ１０を長手方向に対して所定の傾斜角度θを付して束ねて構成するが、図４に示すように第１導光ガイド体９Ａと第２導光ガイド体９Ｂにおいてそれぞれの傾斜角度θＡ、θＢが互いに異なる角度により設定される。
【００２９】
導光ガイド体９は、第１導光ガイド体９Ａと第２導光ガイド体９Ｂについて、基本的な原理を同等にしてそれぞれの光ファイバ１０に対して傾斜角度θを付して束ねるようにする。すなわち、導光ガイド体９は、光ファイバ１０に付す傾斜角度θを、外部から第１端部１０Ａを介してコア内に入射された検出光Ｌを境界層の界面で全反射されないように設定する。光ファイバ１０は、傾斜角度θが、指先１で散乱されて第１端部１０Ａに対して垂直に近い方向からコア内に入射する検出光Ｌは勿論、第１端部１０Ａと略平行な方向からコア内に入射する検出光Ｌも境界層の界面で屈折してコア内に導かれて光吸収層に導光されるように設定される。また、光ファイバ１０は、傾斜角度θが、指の光学的屈折率ｎが１．５〜１．７程度であることから、指先１７で錯乱されてコアとクラッドとの界面における臨界角よりも大きな角度で入射される検出光Ｌの一部が境界層の界面で全反射されてコア内に導かれて光吸収層に導光されるように設定される。
【００３０】
導光ガイド体９は、第１導光ガイド体９Ａと第２導光ガイド体９Ｂについて、それぞれの光ファイバ１０を上述した傾斜角度θの設定条件を満たして図４に示すように指先１７のスライド方向と直交する垂直面に対して対称となる傾斜角度を付したものが備えられるようにする。導光ガイド体９は、上述した製作方法により製作した光ファイバ１０を、例えば上下逆にして組み合わせることにより第１導光ガイド体９Ａと第２導光ガイド体９Ｂを構成することが可能である。
【００３１】
指紋センサ１においては、待機状態において開放された検出開口部６から、変化する外乱光ＬＲが検出ユニット３に入射されることがある。指紋センサ１においては、上述したように検出ユニット３を構成して検出光Ｌをセンサユニット８へと導光する導光ガイド体９が、傾斜角度θを異にして束ねられた光ファイバ１０を有する第１導光ガイド体９Ａと第２導光ガイド体９Ｂとにより構成される。
【００３２】
指紋センサ１においては、図４に示すように例えば第１導光ガイド体９Ａの光ファイバ１０の傾斜角度と略同方向から検出開口部６に入射される外乱光ＬＲに対して、第１導光ガイド体９Ａではこの外乱光ＬＲを第１センサユニット８Ａへと導光するが第２導光ガイ
ド体９Ｂにおいては外乱光ＬＲをカット若しくは入射光量を制限して第２センサユニット８Ｂへと導光する。指紋センサ１においては、このように指向性を有する外乱光ＬＲが存在する場合に、第１導光ガイド体９Ａ或いは第２導光ガイド体９Ｂのいずれか一方がこの外乱光ＬＲをセンサユニット８へと導光するとともに、他方が外乱光ＬＲをカットする。
【００３３】
指紋センサ１においては、変化する外乱光ＬＲの第１導光ガイド体９Ａによる導光により第１センサユニット８Ａの検出動作が行われて検出信号を機器本体側の制御部へと出力する。一方、指紋センサ１においては、第２導光ガイド体９Ｂが外乱光ＬＲをカットすることにより第２センサユニット８Ｂにおいて検出動作が行われず、検出信号は出力されない。したがって、指紋センサ１においては、第１センサユニット８Ａと第２センサユニット８Ｂによる検出光量に大きな差異が生じることで、外乱光ＬＲを検出して検出面１１に指先１７が置かれていないことを検出して待機状態を継続する。
【００３４】
指紋センサ１においては、待機状態から指先１７が押し当てられて検出開口部６をスライド操作されると、第１導光ガイド体９Ａと第２導光ガイド体９Ｂのそれぞれの検出面１１から指先１７により散乱された検出光Ｌの一部がそれぞれ入射される。指紋センサ１においては、検出開口部６が指先１７により覆われることで外乱光ＬＲはカットされて第１導光ガイド体９Ａや第２導光ガイド体９Ｂに導光され無い。
【００３５】
指紋センサ１においては、検出光Ｌが第１導光ガイド体９Ａにより第１センサユニット８Ａへと導光されるとともに第２導光ガイド体９Ｂにより第２センサユニット８Ｂへと導光される。したがって、指紋センサ１においては、第１センサユニット８Ａと第２センサユニット８Ｂから同等レベルの検出信号が出力され、機器本体側の制御部において指紋検出処理が行われるようにする。
【００３６】
なお、上述した指紋センサ１においては、第１導光ガイド体９Ａと第２導光ガイド体９Ｂの光ファイバ１０が、同一傾斜角度であるがスライド方向と直交する垂直面に対して対称となる傾斜角度θを付されるように構成したが、かかる第１導光ガイド体９Ａと第２導光ガイド体９Ｂを備えることに限定されるものでは無い。指紋センサ１においては、第１導光ガイド体９Ａと第２導光ガイド体９Ｂの光ファイバ１０を検出開口部６に対して同一方向を向いているが互いに傾斜角度θを異にしたものを用いるようにしてもよい。指紋センサ１においては、この場合に少なくとも一方の導光ガイド体が、指先のスライド方向と平行な方向に所定の傾斜角度を付して光ファイバを束ねたものを用いることが好ましい。
【００３７】
指紋センサ１においては、上述したように異なる指向性を有する対をなす検出ユニット３Ａ、３Ｂを組み合わせて検出ユニット３を構成したが、例えば機器にある程度の大型化が許容されさらに高精度の指紋検出を行う場合には複数組の検出ユニット３を備えるようにしてもよいことは勿論である。図５に変形例として示した指紋センサ２０は、個々の構成をそれぞれ上述した検出ユニット３と同等とすることから同一符号を付して説明を省略する第１検出ユニット２１と第２検出ユニット２２を備える。
【００３８】
指紋センサ２０は、第１検出ユニット２１が、第１センサユニット８Ａ−２１と第１導光ガイド体９Ａ−２１を備える検出ユニット３Ａ−２１と、第２センサユニット８Ｂ−２１と第２導光ガイド体９Ｂ−２１を備える検出ユニット３Ｂ−２１とから構成され、同様にして第２検出ユニット２２も第１センサユニット８Ａ−２２と第１導光ガイド体９Ａ−２２を備える検出ユニット３Ａ−２２と、第２センサユニット８Ｂ−２２と第２導光ガイド体９Ｂ−２２を備える検出ユニット３Ｂ−２２とから構成される。指紋センサ２０は、第１検出ユニット２１と第２検出ユニット２２が互いに平行状態に並べて配列されるとともに、第１検出ユニット２１の第１導光ガイド体９Ａ−２１及び第２導光ガイド体９Ｂ−２１と、第２検出ユニット２２の第１導光ガイド体９Ａ−２２と第２導光ガイド体９Ｂ−
２２がそれぞれの検出面１１が互いに同一面となるようにして検出部を構成する。
【００３９】
指紋センサ２０は、上述したように第１検出ユニット２１と第２検出ユニット２２を備えて構成することから、それぞれにおいて外乱光ＬＲの影響が排除されてより正確な指紋検出を行うことが可能である。指紋センサ２０は、対をなす検出ユニット３Ａ、３Ｂからなる検出ユニット３をさらに多数組み備え、各組みを互いに平行状態に並べて配列して検出部を構成するようにしてもよい。
【００４０】
また、指紋センサ１においては、上述したように遮光樹脂ブロック５が、上面の検出開口部６に対して底面側に配列した検出ユニット４を相対するようにして導光ガイド体９を封止するようにしたが、かかる構成に限定されないことは勿論である。図６に変形例として示した指紋センサ３０は、遮光樹脂ブロック３１が導光ガイド体９を封止する導光ガイド体収納空間部３２を、検出面１１と出射面１２が長さ方向に対して位置を異にするように所定の傾斜角度θを付された導光ガイド体９に合わせて、長さ方向に傾斜されて構成される。指紋センサ３０は、検出開口部３３から入射される光を導光ガイド体９により検出ユニット４へと効率よく導光されるようにする。
【図面の簡単な説明】
【００４１】
【図１】本発明の実施の形態として示す指紋センサの内部構造を透視して示す一部切欠き斜視図である。
【図２】指紋センサの要部断面図である。
【図３】指紋センサによる指紋検出操作を説明する図である。
【図４】指紋センサに備える導光ガイド体の構成を説明する模式図である。
【図５】本発明の変形例として示す指紋センサの要部分解斜視図である。
【図６】本発明の他の変形例として示す指紋センサの要部模式図である。
【符号の説明】
【００４２】
１      指紋センサ
２      インタポーザ
３      検出ユニット
４      光源ユニット
５      遮光樹脂ブロック
６      検出開口部
７      筐体
８      センサユニット
９      導光ガイド体
１０    光ファイバ
１１    検出面
１２    出射面
１３    発光素子
１７    指先
２０    指紋センサ
２１    第１検出ユニット
２２    第２検出ユニット
３０    指紋センサ
３１    遮光樹脂ブロック
３２    導光ガイド体収納空間部
【図１】
2009129044.tif 000003
【図２】
2009129044.tif 000004
【図３】
2009129044.tif 000005
【図４】
2009129044.tif 000006
【図５】
2009129044.tif 000007
【図６】
2009129044.tif 000008